(57)【要約】【課題】距離表示機能と防草機能を併せ持ち、しかも、路肩での設置作業を簡単に行うことができる施工性に優れた防草シート一体距離標を提供する。【解決手段】防草シート１とこの防草シート１から立ち上がる柱状の距離標本体２とが一体化されている防草シート一体距離標１０とする。距離標本体２の下端のフランジ部２ｃが防草シート１に固着されて、防草シート１と距離標本体２が一体化されていてもよいし、防草シート１と距離標本体２が合成樹脂で一体成形されて一体化されていてもよい。線路等の路肩４に防草シート１を敷設、固定するだけで設置作業が完了し、距離標本体２を路肩４に埋め込む面倒な作業が全く不要であるため、施工性が大幅に向上する。しかも、防草シート１によって防草機能が併せて発揮されるため、距離標本体２の周囲に雑草が生えなくなり、距離標本体２の距離表示機能が雑草によって害される心配が解消される。【選択図】図２
2014009493.tif 000002
【特許請求の範囲】
【請求項１】
防草シートとこの防草シートから立ち上がる柱状の距離標本体とが一体化されていることを特徴とする防草シート一体距離標。
【請求項２】
距離標本体が中空体であることを特徴とする請求項１に記載の防草シート一体距離標。
【請求項３】
距離標本体の下端のフランジ部が防草シートに固着されて、防草シートと距離標本体が一体化されていることを特徴とする請求項１又は請求項２に記載の防草シート一体距離標。
【発明の詳細な説明】
【技術分野】
【０００１】
本発明は、線路や道路の路肩、或いは、河川の堤防の法肩などに設置される防草シート一体距離標に関し、更に詳しくは、距離表示機能と防草機能を併せ持つ施工性に優れた防草シート一体距離標に関する。
【背景技術】
【０００２】
線路の路肩に設置される通常の距離標１００は、図１５に示すように、上端が尖った三角柱状（横断面が直角二等辺三角形の三角柱状）の木製の標識であって、距離標の上部１０１が白色に塗装されており、その直角を挟む二側面に距離数が黒色のアラビア数字１０２で表示されている。そして、距離標の中間部１０３は黒色に塗装され、下部１０４には防腐剤が塗布されている。斯かる距離標１００は、その下部１０４と中間部１０３の下半分を路肩１０５の地中に埋め込んで設置される。
【０００３】
しかしながら、上記のように距離標１００を路肩１０５に設置すると、路肩１０５に生えてくる雑草によって、距離標１００の上部１０１の距離数を表す数字１０２が見辛くなり、そのまま雑草を放置しておくと、距離標１００が隠れて見えなくなる虞れがあるため、定期的に雑草を刈り取らねばならないという問題があった。
【０００４】
しかも、上記の距離標１００は、路肩１０５に打ち込んで設置するものではなく、路肩１０５に穴を掘って距離標中間部１０３の下半分と距離標下部１０４を埋め込んで設置するものであるため、設置作業が面倒で時間がかかり、施工性に劣るという問題もあった。
これらの問題は、河川の堤防の法肩に距離標を設置する場合にも、同様に生じる。
【０００５】
一方、キロポスト等の線路脇付帯設備の支柱の周囲地面に根巻床を構築する構造として、目地溝で区画された多数の小ブロックを屈撓性連結材で連結し且つ裏面に草押えシートを貼り合わせた根巻床板を使用し、この根巻床板を線路脇付帯設備の支柱周りの地面に順応させて複数枚敷設すると共に、該支柱に隣接する根巻床板の周面の局部に欠き込みを形成して、該欠き込み内に支柱基部を受け入れるようにした根巻床構造が知られている（特許文献１）。
【０００６】
この特許文献１の根巻床構造は、線路脇付帯設備の支柱周りに敷設された根巻床板によって、支柱周りに雑草が生えにくくなるが、付帯設備の支柱は線路脇の地面に穴を掘って埋め込まれるため、やはり付帯設備の設置作業が面倒で時間がかかり、施工性に劣るという問題があった。
【先行技術文献】
【特許文献】
【０００７】
【特許文献１】特開２００８−１２９７７６号公報
【発明の概要】
【発明が解決しようとする課題】
【０００８】
本発明は上記事情の下になされたもので、その解決しようとする課題は、距離表示機能と防草機能を併せ持ち、しかも、路肩や法肩での設置作業を簡単に行うことができる施工性に優れた防草シート一体距離標を提供することにある。
【課題を解決するための手段】
【０００９】
上記課題を解決するため、本発明に係る防草シート一体距離標は、防草シートとこの防草シートから立ち上がる柱状の距離標本体とが一体化されていることを特徴とするものである。
ここに「一体化」とは、別個に作製された防草シートと距離標本体を一つに結合することと、最初から防草シートと距離標本体を一つに結合して作製することの双方を包含する概念の用語である。
【００１０】
従って、本発明の防草シート一体距離標においては、請求項３のように距離標本体の下端のフランジ部が防草シートに固着されて、防草シートと距離標本体が一体化されていてもよいし、後述する実施形態のように防草シートと距離標本体が合成樹脂で一体成形されて一体化されていてもよい。
【００１１】
そして、いずれの手段で防草シートと距離標本体が一体化される場合であっても、請求項２のように距離標本体は中空体であることが好ましい。
【発明の効果】
【００１２】
本発明の防草シート一体距離標のように、防草シートとこの防草シートから立ち上がる柱状の距離標本体とが一体化されているものは、路肩や法肩における距離標設置予定箇所に防草シートを敷設、固定するだけで設置作業が完了し、距離標本体を路肩や法肩に埋め込む面倒な作業が全く不要であるため、設置作業を短時間で簡単に行うことが可能となり、施工性が大幅に向上する。しかも、防草シートから立ち上がる柱状の距離標本体によって本来の距離表示機能が発揮されるだけでなく、防草シートによって防草機能が併せて発揮されるため、距離標本体の周囲に雑草が生えなくなり、従来の距離標のように雑草によって距離表示機能が害される虞れがなくなると共に、面倒で費用のかかる雑草の刈り取り作業も不要となる。
【００１３】
本発明の防草シート一体距離標において、距離標本体を中空体としたものは、軽量であるため持ち運びし易く、材料の使用量も節約できるのでコストダウンを図ることができる。
【００１４】
また、本発明の防草シート一体距離標において、距離標本体の下端のフランジ部を防草シートに固着して防草シートと距離標本体を一体化したものは、距離標本体の固着強度が大きく固着安定性に優れるため、距離標本体が倒れたり防草シートから離脱したりする心配がなく、場合によっては、運搬時に嵩張らないように距離標本体と防草シートを分離したまま設置現場まで運搬し、設置現場で両者をアンカーピン、らせん杭、接着剤等を用いて固着一体化することもできるので、運搬コストの節約も可能となる。
【図面の簡単な説明】
【００１５】
【図１】本発明の一実施形態に係る防草シート一体距離標の分解斜視図である。
【図２】路肩に設置された同防草シート一体距離標の断面図である。
【図３】距離標本体の他の例を示す分解斜視図である。
【図４】同距離標本体の水平断面図である。
【図５】同距離標本体の分解水平断面図である。
【図６】防草シートの他の例を示す部分断面図である。
【図７】距離標本体の更に他の例を示す斜視図である。
【図８】同距離標本体の分解斜視図である。
【図９】同距離標本体の平面図である。
【図１０】距離標本体の更に他の例を示す斜視図である。
【図１１】同距離標本体の分解斜視図である。
【図１２】同距離標本体の平面図である。
【図１３】本発明の他の実施形態に係る防草シート一体距離標の斜視図である。
【図１４】路肩に設置された同防草シート一体距離標の断面図である。
【図１５】従来の距離標の説明図である。
【発明を実施するための形態】
【００１６】
図１，図２に示す実施形態の防草シート一体距離標１０は、防草シート１と、この防草シート１の中央部から立ち上がる四角柱状の距離標本体２とを備えたもので、これらの防草シート１と距離標本体２は、後述するように一体化されている。
【００１７】
防草シート１は熱可塑性樹脂からなる遮水性のシートであって、黒色系、茶色系、緑色系などの着色料を含有させて遮光性を付与することにより、優れた防草機能を発揮できるようにしたシートである。防草シート１の材料樹脂としては、公知の種々の熱可塑性樹脂が使用されるが、その中でも、成形性が良く、粘りがあり、強度や耐候性が良好な高密度ポリエチレン（ＨＤＰＥ）が特に好ましく使用される。
【００１８】
この防草シート１は、図１，図２に示すような平坦なシートでも勿論良いが、図６に示すように、シート両面に多数の截頭円錐形の凸部１ａが交互に形成された、適度な剛性と曲げ加工性を有するエンボスシート１が好ましく使用される。このエンボスシート（防草シート）１の全体の厚さ（片面の凸部先端から反対面の凸部先端までの厚さ）や平均肉厚は特に制限されないが、シート全体の厚さが５〜２０ｍｍ、平均肉厚が０．５〜１．５ｍｍのエンボスシート１は、取扱い性、剛性、曲げ加工性、強度などの観点から好ましく使用される。また、防草シート１が図１，図２に示すような平坦なシートである場合は、０．５〜３．０ｍｍの厚さを有するものが好ましく使用される。
【００１９】
一方、距離標本体２は、図１，図２に示すように、上端が四角錐状に尖った四角柱状の中空体からなるものであって、この距離標本体２の柱状部２ａの下端には台形基部２ｂとフランジ部２ｃが形成されている。そして、柱状部２ａは白色に着色され、その隣接する二側面には、距離数を表示するアラビア数字が黒色の吹付け塗料等で描かれている。この数字は、後述する他の方法で形成しても勿論よい。台形基部２ｂやフランジ部２ｃは、柱状部２ａと同様に白色に着色されていてもよいが、防草シート１との一体感を高めるために、防草シート１と同じ黒色、茶色または緑色に着色することが好ましい。また、距離標本体２の高さ寸法、柱状部２ａの側面の幅寸法、数字の大きさなどは、線路諸標設備基準規格等に定められた寸法（例えば距離標丙号の場合は、高さ２７５ｍｍ、側面の幅寸法６０ｍｍ、数字の高さ５３ｍｍ、数字の横幅３５ｍｍ）とすることが望ましい。尚、距離表本体２の各寸法は、線路諸標設備基準規格に定められた寸法に限定されるものではなく、適宜選定してもよいことは言うまでもない。
【００２０】
この距離標本体２の材質は特に制限されるものではなく、例えば、アルミニウムなどの金属、木材、各種合成樹脂などで作製すればよいが、作製の容易さ、耐久性、作製コストなどを総合的に勘案すると、熱可塑性樹脂をブロー成形又は射出成形して作製することが好ましい。その場合、実用強度を得るために、距離標本体２の平均肉厚を１．０〜３．０ｍｍ程度に設定することが好ましい。また、場合によっては、距離標本体２の強度を更に高めるために、内側に補強リブを形成したり、補強芯材や補強板を設けたりしてもよい。距離標本体２の材料樹脂としては、成形性、強度、耐候性などが良好な高密度ポリエチレン（ＨＤＰＥ）が好ましく使用されるが、その他にも、ポリ塩化ビニル（ＰＶＣ）、ポリエチレンテレフタレート（ＰＥＴ）、再生ＰＥＴなどの汎用樹脂や再生樹脂が使用される。
【００２１】
なお、図１，図２に示す距離標本体２は四角柱状の中空体であるが、距離標本体は四角柱状の中実体であってもよいことは言うまでもない。このような中実体からなる距離標本体は、強度が大きいという利点を有するが、中空体からなる距離標本体２の方が軽量で持ち運びし易く、材料使用量が少ない分だけコストを低減できるので、より好ましい。
【００２２】
防草シート１と距離標本体２は、距離標本体２の下端のフランジ部２ｃを防草シート１の中央部に重ねて固着することにより、一体化されている。このように距離標本体２の下端のフランジ部２ｃを防草シート１に固着すると、距離標本体２の固着安定性が向上し、固着強度も大きくなる。固着する手段としては、接着剤による接着、コーキング材による固着、超音波による溶着、ビス止め、或いは、図２に仮想線で示すアンカーピン３による固定など、種々の手段を採用することができる。接着剤は、防草シート１と距離標本体２の材質を考慮して接着性の良好なものを選択すればよく、例えば、防草シート１と距離標本体２が前述のＰＶＣ、ＰＥＴなどで作製されている場合は、ウレタン系接着剤などが好ましく使用され、また、防草シート１と距離標本体２が前述のＨＤＰＥで作製されている場合は、好ましい接着剤がないのでブチル系コーキング材を使用して固着することが好ましい。なお、アンカーピン３による固定は、他の固着手段と併用することが望ましい。
【００２３】
上記構成の防草シート一体距離標１０は、図２に示すように、線路や道路の路肩４における距離標設置予定箇所（或いは、河川の堤防の法肩における距離標設置予定箇所）に防草シート１を敷設し、防草シート１の四隅部又は四周縁部をアンカーピン３で路肩４の地面に固定して設置される。その場合、距離標本体２のフランジ部２ｃからアンカーピン３を打ち込んで、フランジ部２ｃの固着強度を更に高めるようにしてもよい。このように、上記構成の防草シート一体距離標１０は防草シート１を路肩４に敷設、固定するだけで設置作業が完了し、距離標本体２を路肩４に埋め込む面倒な作業が全く不要であるため、設置作業を短時間で簡単に行うことが可能となり、施工性が大幅に向上する。そして、防草シート１から立ち上がる四角柱状の距離標本体２によって本来の距離表示機能が発揮されるだけでなく、防草シート１によって防草機能が併せて発揮されるため、距離標本体２の周囲に雑草が生えなくなり、従来の距離標のように雑草によって距離表示機能が害される虞れがなくなると共に、面倒で費用のかかる雑草の刈り取り作業も不要となる。
【００２４】
なお、アンカーピン３に代えてらせん杭（不図示）を使用し、防草シート１の四隅部や四周縁部をらせん杭で地面に固定したり、距離標本体２のフランジ部２ｃかららせん杭をねじ込んでフランジ部２ｃと防草シート１を固着してもよい。らせん杭はアンカーピン３に比べて引抜き強度が大きく、防草シート１やフランジ部２ｃの固定強度を向上させる利点があるので好ましい。
【００２５】
前記の距離標本体２は熱可塑性樹脂で一体成形された中空体であるが、距離標本体２は、図３〜図５に示すような縦割り状の中空半体２０，２０を接合した分割タイプの中空体であってもよい。即ち、この中空半体２０，２０は、前記の距離標本体２をその柱状部２ａの対角線沿い縦断して二分割すると共に、接合端縁に重ね代２０ｄ，２０ｄを設けた形状を有するものであって、それぞれの中空半体２０は、半柱状部２０ａと、その下端の半台形基部２０ｂ及び半フランジ部２０ｃと、上記重ね代２０ｄとで構成されている。このような中空半体２０，２０は、ＨＤＰＥ、ＰＶＣ、ＰＥＴなどの熱可塑性樹脂シートを真空成形することによって、効率良く且つ安価に作製することができ、１．５〜３．０ｍｍ程度の厚い熱可塑性樹脂シートを用いると、強度の大きい中空半体を作製することができる。
【００２６】
図３〜図５に示す分割タイプの距離標本体２は、上記の中空半体２０，２０を合わせて重ね代２０ｄ，２０ｄ同士を重ね、接着剤やコーキング材による接合、超音波による溶着、ビス止め等の接合手段で重ね代２０ｄ，２０ｄ同士を接合して作製されたものである。接着剤やコーキング材としては、前述した防草シート１と距離標本体２のフランジ部２ｃとの接着に用いられる接着剤やコーキング材と同じものが使用される。このような分割タイプの距離標本体２は、真空成形によって強度の大きい中空半体２０，２０を効率良く且つ安価に作製することができ、中空半体２０，２０の接合作業も容易であるので、製作面、強度面、コスト面で有利なものである。
【００２７】
図７〜図９は、分割タイプの距離標本体２の他の例を示したものである。この距離標本体２は、図７に示すように、上端が山形に尖った三角柱状（直角二等辺三角柱状）の中空の柱状部２ａの下端に円形のフランジ部２ｃを形成したものであって、図８に示すように、柱状部２ａのほぼ中間部位において本体上部２１と本体下部２２とに二分割されている。そして、本体下部２２の上端には、本体上部２１の下端開口部に差込まれる直角二等辺三角形状の差込み口２２ａが突き出して形成されており、この差込み口２２ａと本体上部２１の下端部側面には、複数のリベット挿通孔２２ｂ，２１ｂがそれぞれ対応する位置に形成されている。
【００２８】
また、本体上部２１の二側面（直角コーナーを挟んで隣接する二側面）には、距離数を表示する黒色の数字を印刷した樹脂フィルム２３、又は、数字の形状通りに切り取った黒色の数字プレート（不図示）が接着剤などで貼着固定されている。距離数を表示する数字は、前述したように黒色の吹付け塗料等で柱状部の側面に直接描いてもよいが、この実施形態のように黒色の数字を印刷した樹脂フィルム２３や数字プレート（不図示）を貼着固定すると、数字を鮮明に視認できる利点があるので好ましい。
【００２９】
本体上部２１と本体下部２２は、前述した合成樹脂を射出成形して作製することが好ましく、その場合、本体上部２１を白色に着色して数字を見やすくすると共に、本体下部２２を前記防草シート１と同じ黒色、茶色、または緑色に着色して防草シート１との一体感を高めることが好ましい。
【００３０】
この上下分割タイプの距離標本体２は、本体下部２２の差込み口２２ａを本体上部２１の下端開口部に差込み、本体上部２１の各リベット挿通孔２１ｂから差込み口２２ａの各リベット挿通孔２２ｂにリベット５（図７参照）を打ち込んでかしめることにより、本体上部２１と本体下部２２を接合、合体させて容易に作製することができる。
【００３１】
図１０〜図１２は、分割タイプの距離標本体２の更に他の例を示したものである。この距離標本体２は、図１０に示すように、上端が山形に尖った三角柱状（直角二等辺三角柱状）の中空の柱状部２ａの下端に円形のフランジ部２ｃを形成したものであって、図１１に示すように、柱状部２ａのほぼ中間のフランジ形成部位において本体上部２１と本体下部２２とに二分割されている。本体下部２２の上端開口縁には、図１１に示すように、直角二等辺三角形の両側の鋭角部を切断した変則五角形状の受けフランジ部２２ｃが形成されており、この受けフランジ部２２ｃには変則五角形の環状溝部２２ｄが形成されている。そして、本体上部２１の下端開口縁には、本体下部２２の受けフランジ部２２ｃに重ねられる変則五角形状の重ねフランジ部２１ｃが形成されており、この重ねフランジ部２１ｃの下面には、受けフランジ部２２ｃの環状溝部２２ｄに嵌まり込む変則五角形の環状凸部２１ｄが形成されている。
【００３２】
また、本体上部２１の二側面（直角コーナーを挟んで隣接する二側面）には、黒色セグメント６ａと白色セグメント６ｂを組み合わせて取付けることにより、距離数を表示する黒色の数字が形成されている。即ち、この数字は「日」字形に組み合わされる７個のセグメントで構成されるものであって、本体上部２１の二側面に形成された取付孔２１ｅに、黒色セグメント６ａと白色セグメント６ｂのそれぞれの裏面の突起６ｃを差込んで取付け、黒色セグメント６ａによって数字を表すようにしたものである。このように黒色セグメント６ａと白色セグメント６ｂを取付けて数字を形成すると、数字が本体上部２１の二側面から浮き上がって見やすくなり、視認性が一層向上する利点があるので好ましい。また、各セグメント６ａ，６ｂの脱落を確実に防止するために、各セグメント６ａ，６ｂを更に接着剤等で本体上部２１の二側面に貼着固定することも好ましい。
【００３３】
この距離標本体２の本体上部２１と本体下部２２も、前述した合成樹脂を射出成形して作製することが好ましく、その場合、本体上部２１を白色に着色して数字を見やすくすると共に、本体下部２２を前記防草シート１と同じ黒色、茶色、または緑色に着色して防草シート１との一体感を高めることが好ましい。
【００３４】
上記のような上下分割タイプの距離標本体２は、本体下部２２の受けフランジ部２２ｃの環状溝部２２ｄに、本体上部２１の重ねフランジ部２１ｃの環状凸部２１ｄを嵌め込んで、受けフランジ部２２cの上に重ねフランジ部２１ｃを重ね合わせ、超音波振動溶着により、本体上部２１と本体下部２２を接合、合体させて容易に作製することができる。この超音波振動溶着の際に発生するバリは、受けフランジ部２２ｃと重ねフランジ部２１ｃの間に納められ、外側にはみ出すことがないので、外観が損なわれる心配はない。
【００３５】
図１３，図１４は本発明の他の実施形態に係る防草シート一体距離標１１を示したもので、この防草シート一体距離標１１は、防草シート１と距離標本体２を、熱可塑性樹脂で一体成形することによって、一体化したものである。距離標本体２は、上端が四角錐状に尖った四角柱状の柱状部２ａの下端に略台形の基部２ｂを設けた中空体であり、基部２ｂの四側面は滑らな凹曲面に形成されて、柱状部２ａと防草シート１に滑らかに連なっている。また、防草シート１は平坦なシートであるが、前述した図６のエンボスシート１にしてもよい。
【００３６】
このような防草シート一体距離標１１は、熱可塑性樹脂シートを真空成形するか、熱可塑性樹脂を射出成形することによって作製されるが、後者の射出成形の場合は大きい金型が必要でコスト高となり、また、エンボスシートの成形も困難であるため、前者の真空成形で作製する方が望ましい。真空成形する場合、距離標本体２の基部２ｂの四側面が上記のような凹曲面であるため、距離標本体２の成形が比較的容易であるが、距離標本体２の肉厚がかなり薄くなるので、距離標本体２の内側に補強芯や補強板を設けて強度を向上させることが好ましい。なお、材料の熱可塑性樹脂シートとしては、前述したＨＤＰＥ、ＰＶＣ、ＰＥＴなどのシートであって、１．５〜３．０ｍｍの厚さを有するものが、成形性、強度などの観点から好ましく使用される。
【００３７】
上記のような防草シート一体距離標１１も、路肩４や法肩に防草シート１を敷設し、その四隅部又は四周縁部をアンカーピン３や、らせん杭で固定するだけで設置作業が完了し、距離標本体２を路肩４に埋め込む面倒な作業が全く不要であるため、設置作業を短時間で簡単に行うことが可能となり、施工性が大幅に向上する。そして、防草シート１によって防草機能が併せて発揮されるため、距離標本体２の距離表示機能が雑草によって害される心配がなくなり、雑草の刈り取り作業も不要となる。
また、この防草シート一体距離標１１は、距離標本体２を既設の距離標に被せ、防草シート１を路肩４や法肩に敷設して使用することも可能であり、その場合も上記と同様の効果が得られることは言うまでもない。
【００３８】
以上、代表的な実施形態を挙げて本発明の距離標を説明したが、本発明はこれらの実施形態のみに限定されるものではなく、種々の設計的変更を許容するものである。
【符号の説明】
【００３９】
１    防草シート
２    距離標本体
２ａ  柱状部
２ｂ  台形基部
２ｃ  フランジ部
２０  中空半体
２０ｄ  重ね代
２１  本体上部
２２  本体下部
３    アンカーピン
４    路肩
１０，１１  防草シート一体距離標
【図１】
2014009493.tif 000003
【図２】
2014009493.tif 000004
【図３】
2014009493.tif 000005
【図４】
2014009493.tif 000006
【図５】
2014009493.tif 000007
【図６】
2014009493.tif 000008
【図７】
2014009493.tif 000009
【図８】
2014009493.tif 000010
【図９】
2014009493.tif 000011
【図１０】
2014009493.tif 000012
【図１１】
2014009493.tif 000013
【図１２】
2014009493.tif 000014
【図１３】
2014009493.tif 000015
【図１４】
2014009493.tif 000016
【図１５】
2014009493.tif 000017